(57)【要約】  上型、下型、および締め付け装置を含む封止金型が提供される。締め付け装置は、上型の接合面に固定されたゴム滑り止めブロック、および下型の接合面に固定されたゴム滑り止めブロックを含み、いずれのゴム滑り止めブロックもガラスをしっかりと固定することができる。したがって、上型および下型が互いに対して押圧された後、これらのゴム滑り止めブロックは変形して、反対の方向を有する１対の力をガラスに印加する。この対の力の下で、ガラスは封止金型の中で完全に固定されることが可能であり、これは射出成形の間にガラスが動くことによって生じるガラスの破損を防止することができる。その一方で、これらのゴム滑り止めブロックは弾性なので、これらは滑り止めの役割を果たしてガラスを支承することが可能であり、これはガラス４０の破損を防止する。
2015536842.tif 000002
【特許請求の範囲】
【請求項１】
上型と、
下型と、
上型の接合面に固定された第一ゴム滑り止めブロックおよび下型の接合面に固定された第二ゴム滑り止めブロックを含む締め付け装置であって、第一ゴム滑り止めブロックは第一表面を有して第二ゴム滑り止めブロックは第二表面を有し、上型が下型に対して押圧されたときに、第一ゴム滑り止めブロックおよび第二ゴム滑り止めブロックは少なくとも部分的に重なり、第一ゴム滑り止めブロックと第二ゴム滑り止めブロックとの間の最小距離は封止されるガラスの厚さよりも小さい、締め付け装置と、
を含む封止金型。
【請求項２】
封止金型が同じ数の第一および第二ゴム滑り止めブロックを有する、請求項１に記載の封止金型。
【請求項３】
第一ゴム滑り止めブロックと第二ゴム滑り止めブロックとの間の最小距離が、第一ゴム滑り止めブロックの第一表面と第二ゴム滑り止めブロックの第二表面との間の距離に等しく、上型が下型に対して押圧されたとき、第一ゴム滑り止めブロックの第一表面と第二ゴム滑り止めブロックの第二表面との間の距離は、封止されるガラスの厚さよりも約０．１５ｍｍから約０．２５ｍｍだけ小さい、請求項１に記載の封止金型。
【請求項４】
第一ゴム滑り止めブロックの第一表面が凹状であり、第二ゴム滑り止めブロックの第二表面は凸状である；あるいは、第一ゴム滑り止めブロックの第一表面は凸状であり、第二ゴム滑り止めブロックの第二表面は凹状であり、
第一および第二表面のうちの凹状の方は、封止されるガラスの凸面に適合するように構成されており、第一および第二表面のうちの凸状の方は、封止されるガラスの凹面に適合するように構成されている、請求項１に記載の封止金型。
【請求項５】
締め付け装置には、３つ以上の第一ゴム滑り止めブロックおよび３つ以上の第二ゴム滑り止めブロックが設けられており、３つ以上の第一ゴム滑り止めブロックおよび３つ以上の第二ゴム滑り止めブロックはそれぞれ多角形パターンで配置されている、請求項１に記載の封止金型。
【請求項６】
締め付け装置がさらに、上型の接合面に固定された第三ゴム滑り止めブロック、および下型の接合面に固定された第四ゴム滑り止めブロックを含み、
第三ゴム滑り止めブロックの幅および第四ゴム滑り止めブロックの幅はそれぞれ第一ゴム滑り止めブロックの幅および第二ゴム滑り止めブロックの幅よりも小さく、
第三ゴム滑り止めブロックは封止されるガラスを締め付けるようになっている第三表面を有し、第四ゴム滑り止めブロックは封止されるガラスを締め付けるようになっている第四表面を有し、
第三ゴム滑り止めブロックは第三表面に形成された第三溝を有し；第四ゴム滑り止めブロックは第四表面に形成された第四溝を有し、
上型が下型に対して押圧されているとき、第三ゴム滑り止めブロックおよび第四ゴム滑り止めブロックは少なくとも部分的に重なり、第三ゴム滑り止めブロックの第三表面と第四ゴム滑り止めブロックの第四表面との間の距離は封止されるガラスの厚さよりも小さく；第三ゴム滑り止めブロックは第一ゴム滑り止めブロックよりも上型の縁に近い位置にあり、第四ゴム滑り止めブロックは第二ゴム滑り止めブロックよりも下型の縁に近い位置にあり、
締め付け装置は同じ数の第三ゴム滑り止めブロックおよび第四ゴム滑り止めブロックを有する、請求項１に記載の封止金型。
【請求項７】
上型が下型に対して押圧されているとき、第三ゴム滑り止めブロックの第三表面と第四ゴム滑り止めブロックの第四表面との間の距離は、封止されるガラスの厚さよりも約０．１５ｍｍから約０．２５ｍｍ小さい、請求項６に記載の封止金型。
【請求項８】
締め付け装置には、３つ以上の第三ゴム滑り止めブロックおよび３つ以上の第四ゴム滑り止めブロックが設けられており、３つ以上の第三ゴム滑り止めブロックおよび３つ以上の第四ゴム滑り止めブロックは、それぞれ多角形パターンで配置されている、請求項６に記載の封止金型。
【請求項９】
第三溝および第四溝がそれぞれ、実質的にＶ字型、方形、またはＷ字型の断面を有する、請求項６に記載の封止金型。
【請求項１０】
第一ゴム滑り止めブロックには、第一表面上に位置してそこから延在するゴムバンプが設けられており、第二ゴム滑り止めブロックには、第二表面上に位置してそこから延在するゴムバンプが設けられており、
第一ゴム滑り止めブロックと第二ゴム滑り止めブロックとの間の最小距離は、第一ゴム滑り止めブロックのゴムバンプの表面と第二ゴム滑り止めブロックのゴムバンプの表面との間の距離に等しく、
上型が下型に対して押圧されているとき、第一ゴム滑り止めブロックおよび第二ゴム滑り止めブロックは完全に重なり、第一ゴム滑り止めブロックのゴムバンプおよび第二ゴム滑り止めブロックのゴムバンプは少なくとも部分的に重なり、第一ゴム滑り止めブロックの第一表面と第二ゴム滑り止めブロックの第二表面との間の距離は封止されるガラスの厚さに等しい、請求項１に記載の封止金型。
【請求項１１】
第一ゴム滑り止めブロックが第一表面上に形成された第一溝を有し、第二ゴム滑り止めブロックは第二表面上に形成された第二溝を有し；第一ゴム滑り止めブロックのゴムバンプは第一溝に埋め込まれて第一表面よりも高く延在し、第二滑り止めブロックのゴムバンプは第二溝に埋め込まれて第二表面よりも高く延在する、請求項１０に記載の封止金型。
【請求項１２】
第一溝に埋め込まれたゴムバンプが第一表面よりも約０．４５ｍｍから０．５５ｍｍ高く延在し、第二溝に埋め込まれたゴムバンプは第二表面よりも約０．４５ｍｍから０．５５ｍｍ高く延在する、請求項１１に記載の封止金型。
【発明の詳細な説明】
【技術分野】
【０００１】
本出願は、その開示のすべてが参照により本明細書に組み込まれる、２０１２年１１月５日出願の、「Ｅｎｃａｐｓｕｌａｔｉｏｎ  Ｍｏｌｄ」と題された、中国特許出願第２０１２２０５７７８０１．０号明細書の優先権を主張する。
【０００２】
本発明は主に、ガラスを封止するための封止金型に関する。
【背景技術】
【０００３】
封止ガラスは、フロント風防ガラス、後部風防ガラス、天窓ガラス、またはクウォータウィンドウガラスなど、自動車内で広く使用される安全ガラスの一種である。封止ガラスは、以下の利点を有する：１．封止ガラスは車体にしっかりと接合されることが可能であり、これは自動車の封止を保証する；２．ガラスは封止用プラスチックと一体に組み合わせられ、これは実装し易くし、これによって実装サイクルを短縮して生産効率を向上させる；その一方で、封止ガラスは異なるタイプの断面を有してもよく、これは自動車をより美しくするように設計されることが可能である。
【０００４】
封止ガラスは、以下のように製造される。第一に、１枚の通常の焼きなましガラスが、切断、エッジング、および洗浄などによって前処理される。第二に、前処理済み焼きなましガラスは、１枚の強化ガラスを得るように、強化処理用の生産ラインに搬送される。次に、上型および下型を含む封止金型が提供される。強化ガラスは下型のチャック上にインサートとして載置され、下型の位置決め装置を用いて固定される。次に上型および下型は互いに接合される。スプルーゲートを通じて、溶融プラスチックが強化ガラスの縁に向かって注入される。封止ガラスは、溶融プラスチックが凝固して強化ガラスの縁を封止した後に得られる。
【０００５】
上記より、任意の強化ガラスについて、封止ガラスの品質は主に封止プロセスに依存し、ここで封止金型は封止プロセスの品質を保証する重要な役割を果たす。強化ガラスに対して射出形成が行われている間、強化ガラスは非常に大きな衝撃の下で動く可能性があり、これは翻って強化ガラスを破砕し、または傷つける。したがって、強化ガラスが動かないようにするため、封止金型内に設けられた締め付け装置が必要とされる。現在、締め付け装置として通常は、可動リフタが使用されている。
【０００６】
図１は、可動リフタによって固定された１枚のガラスを概略的に示す。図１を参照すると、封止されるガラス１は凸面１１（すなわちガラス１の上面）および凹面１２（すなわちガラス１の下面）を有し、これらは互いに反対側に設けられている。可動リフタ２は、下型（図示せず）上に設けられる。ガラス１は、以下のステップにしたがって封止金型（図示せず）内に固定されてもよい。ガラス１はまず可動リフタ２上に載置され、これにより凹面１２を可動リフタ２と接触させる。その後、ガラス１は予備的に位置決めされる。次に上型（図示せず）が下型に対して押圧される。可動リフタ２は凹面１２に対して第一上向き力を印加し、その一方で上型は凸面１１に対して第二下向き力を印加する。第一上向き力と第二下向き力との合力作用の下で、ガラス１は可動リフタ２と上型との間で締め付けられ、これは射出成形の間にガラス１が動くのを防止する。
【０００７】
射出成形の間にガラス１が非常に大きな衝撃に耐えられるようにするため、可動リフタ２の位置は上下に調節可能である。可動リフタ２は鉄で作られており、硬質である。可動リフタ２は、ガラス１の凹面１２に対応する凸面を有する。ガラス１の凹面１２の大部分は、これらが接触するときに可動リフタ２の凸面によって支承される。射出成形の間、封止金型のチャンバは、プラスチック材料にガラス１の縁をしっかりと封止させるように、圧力維持状態で保持されなければならない。圧力の作用の下で、ガラス１および可動リフタ２は互いに圧搾し合う。ガラス１および可動フィルタ２は剛性であり、ガラス１は破砕されないだろう。
【０００８】
加えて、異なるバッチからのガラスは異なる曲率公差を有する可能性がある。ガラス１が大きい曲率公差を有する場合、ガラス１の凹面１２は可動リフタ２の凸面とうまく適合しないかも知れない。この場合、圧力の大部分はガラス１の特定の点に集中しており、このためガラス１は可動リフタ２によって破砕される可能性がある。特に、ガラス１のサイズが大きいとき、ガラス１の中心領域は非常に大きい曲率公差を有し、これがガラスの高破損率をもたらす可能性がある。
【発明の概要】
【発明が解決しようとする課題】
【０００９】
本開示の実施形態は、封止ガラスが破砕されやすいなどの問題を解決するために、封止ガラスを製造するための封止金型を提供する。
【課題を解決するための手段】
【００１０】
一実施形態において封止金型が提供され、これは：
上型と、
下型と、
上型の接合面に固定された第一ゴム滑り止めブロックおよび下型の接合面に固定された第二ゴム滑り止めブロックを含む締め付け装置であって、第一ゴム滑り止めブロックは第一表面を有して第二ゴム滑り止めブロックは第二表面を有し、上型が下型に対して押圧されたときに、第一ゴム滑り止めブロックおよび第二ゴム滑り止めブロックは少なくとも部分的に重なり、第一ゴム滑り止めブロックと第二ゴム滑り止めブロックとの間の最小距離は封止されるガラスの厚さよりも小さい、締め付け装置と、
を含む。
【００１１】
いくつかの実施形態において、封止金型は同じ数の第一および第二ゴム滑り止めブロックを有する。
【００１２】
いくつかの実施形態において、第一ゴム滑り止めブロックと第二ゴム滑り止めブロックとの間の最小距離は、第一ゴム滑り止めブロックの第一表面と第二ゴム滑り止めブロックの第二表面との間の距離に等しく、上型が下型に対して押圧されたとき、第一ゴム滑り止めブロックの第一表面と第二ゴム滑り止めブロックの第二表面との間の距離は、封止されるガラスの厚さよりも約０．１５ｍｍから約０．２５ｍｍだけ小さい。
【００１３】
いくつかの実施形態において、第一ゴム滑り止めブロックの第一表面は凹状であり、第二ゴム滑り止めブロックの第二表面は凸状である；あるいは、第一ゴム滑り止めブロックの第一表面は凸状であり、第二ゴム滑り止めブロックの第二表面は凹状である；第一および第二表面のうちの凹状の方は、封止されるガラスの凸面に適合するように構成されており、第一および第二表面のうちの凸状の方は、封止されるガラスの凹面に適合するように構成されている。
【００１４】
いくつかの実施形態において、締め付け装置には、３つ以上の第一ゴム滑り止めブロックおよび３つ以上の第二ゴム滑り止めブロックが設けられており、３つ以上の第一ゴム滑り止めブロックおよび３つ以上の第二ゴム滑り止めブロックはそれぞれ多角形パターンで配置されている。
【００１５】
いくつかの実施形態において、締め付け装置はさらに、上型の接合面に固定された第三ゴム滑り止めブロック、および下型の接合面に固定された第四ゴム滑り止めブロックを含み、第三ゴム滑り止めブロックの幅および第四ゴム滑り止めブロックの幅はそれぞれ第一ゴム滑り止めブロックの幅および第二ゴム滑り止めブロックの幅よりも小さく；第三ゴム滑り止めブロックは封止されるガラスを締め付けるようになっている第三表面を有し、第四ゴム滑り止めブロックは封止されるガラスを締め付けるようになっている第四表面を有し；第三ゴム滑り止めブロックはそこに形成された第三溝を有して第三溝は第三表面から外向きに面しており；第四ゴム滑り止めブロックはそこに形成された第四溝を有して第四溝は第四表面から外向きに面しており；上型が下型に対して押圧されているとき、第三ゴム滑り止めブロックおよび第四ゴム滑り止めブロックは少なくとも部分的に重なり、第三ゴム滑り止めブロックの第三表面と第四ゴム滑り止めブロックの第四表面との間の距離は封止されるガラスの厚さよりも小さく；第三ゴム滑り止めブロックは第一ゴム滑り止めブロックよりも上型の縁に近い位置にあり、第四ゴム滑り止めブロックは第二ゴム滑り止めブロックよりも下型の縁に近い位置にあり、封止金型は同じ数の第三および第四ゴム滑り止めブロックを有する。
【００１６】
いくつかの実施形態において、上型が下型に対して押圧されているとき、第三ゴム滑り止めブロックの第三表面と第四ゴム滑り止めブロックの第四表面との間の距離は、封止されるガラスの厚さよりも約０．１５ｍｍから約０．２５ｍｍ小さい。
【００１７】
いくつかの実施形態において、締め付け装置には、３つ以上の第三ゴム滑り止めブロックおよび３つ以上の第四ゴム滑り止めブロックが設けられており、３つ以上の第三ゴム滑り止めブロックおよび３つ以上の第四ゴム滑り止めブロックは、それぞれ多角形の外周に沿って振り分けられる。
【００１８】
いくつかの実施形態において、第三溝および第四溝はそれぞれ、実質的にＶ字型、方形、またはＷ字型の断面を有する。
【００１９】
いくつかの実施形態において、第一ゴム滑り止めブロックには、第一表面上に位置してそこから延在するゴムバンプが設けられており、第二ゴム滑り止めブロックには、第二表面上に位置してそこから延在するゴムバンプが設けられており、第一ゴム滑り止めブロックと第二ゴム滑り止めブロックとの間の最小距離は、第一ゴム滑り止めブロックのゴムバンプの表面と第二ゴム滑り止めブロックのゴムバンプの表面との間の距離に等しい。上型が下型に対して押圧されているとき、第一ゴム滑り止めブロックおよび第二ゴム滑り止めブロックは完全に重なり、第一ゴム滑り止めブロックのゴムバンプおよび第二ゴム滑り止めブロックのゴムバンプは少なくとも部分的に重なり、第一ゴム滑り止めブロックの第一表面と第二ゴム滑り止めブロックの第二表面との間の距離は封止されるガラスの厚さに等しい。
【００２０】
いくつかの実施形態において、第一ゴム滑り止めブロックは第一表面上に形成された第一溝を有し、第二ゴム滑り止めブロックは第二表面上に形成された第二溝を有し；第一ゴム滑り止めブロックのゴムバンプは第一溝に埋め込まれて第一表面よりも高く延在し、第二滑り止めブロックのゴムバンプは第二溝に埋め込まれて第二表面よりも高く延在する。
【００２１】
いくつかの実施形態において、第一溝に埋め込まれたゴムバンプは第一表面よりも約０．４５ｍｍから０．５５ｍｍ高く延在し、第二溝に埋め込まれたゴムバンプは第二表面よりも約０．４５ｍｍから０．５５ｍｍ高く延在する。
【００２２】
従来技術と比較すると、本開示は以下の利点を有する：
【００２３】
本開示の実施形態において提供される封止金型は、上型、下型、および締め付け装置を含み、締め付け装置は、上型の接合面に固定された第一ゴム滑り止めブロックおよび下型の接合面に固定された第二ゴム滑り止めブロックを含み、第一ゴム滑り止めブロックおよび第二ゴム滑り止めブロックはいずれも、封止されるガラスを締め付けるための表面を有する。したがって、上型および下型が互いに対して押圧された後、第一ゴム滑り止めブロックおよび第二ゴム滑り止めブロックはいずれも変形して、反対の方向を有する１対の力をガラスに印加する。この対の力の下で、ガラスは封止金型の中で完全に固定されることが可能であり、これにより、射出成形の間にガラスが動くことによって生じるガラスの破損を防止する。その一方で、第一および第二ゴム滑り止めブロックは弾性なので、これらは緩衝材の役割を果たすことが可能であり、これはガラスの破損を防止する。
【００２４】
さらに、ゴム滑り止めブロックは封止されるガラスの曲率公差を補償することが可能であり、これによって封止金型は異なるバッチからのガラスに適合することが可能となる。
【００２５】
ガラスのサイズが大きいとき、締め付け装置は、上型の接合面に固定された第一ゴム滑り止めブロックおよび第三ゴム滑り止めブロック、ならびに下型の接合面に固定された第二ゴム滑り止めブロックおよび第四ゴム滑り止めブロックを含み、第三ゴム滑り止めブロックおよび第四ゴム滑り止めブロックには溝が形成されており、第三ゴム滑り止めブロックは第一ゴム滑り止めブロックよりも上型の縁に近く、第四ゴム滑り止めブロックは第二ゴム滑り止めブロックよりも下型の縁に近い。このようにして、第一ゴム滑り止めブロックおよび第二ゴム滑り止めブロックはガラスの中心領域を固定し、第三ゴム滑り止めブロックおよび第四ゴム滑り止めブロックはガラスの周辺領域を固定することができる。
【００２６】
ガラスのサイズが大きいとき、第一ゴム滑り止めブロックおよび第二ゴム滑り止めブロックにはゴムバンプがそれぞれ設けられてもよく、ゴムバンプは第一ゴム滑り止めブロックおよび第二ゴム滑り止めブロックの表面から延在する。このようにして、ガラスは第一ゴム滑り止めブロックのゴムバンプと第二ゴム滑り止めブロックのゴムバンプとの間で締め付けられることが可能である。ガラスのゴムバンプの間の接触面積は小さいので、ゴムバンプによってガラスに印加される力は相対的に低く、これによってガラスの破損率を低下させる。その結果、大きいサイズのガラスが大きい曲率公差を有していたとしても、ガラスは容易に破砕されなくなる。
【図面の簡単な説明】
【００２７】
【図１】可動リフタによって固定されたガラスを示す概略図である。
【図２】本開示の一実施形態による封止金型の概略断面図である。
【図３】本開示の一実施形態による、上型上に設けられた第一ゴム滑り止めブロックおよび第三ゴム滑り止めブロックの概略平面図である。
【図４】本開示の一実施形態による、下型上に設けられた第二ゴム滑り止めブロックおよび第四ゴム滑り止めブロックの概略平面図である。
【図５】本開示の一実施形態による、第一ゴム滑り止めブロックと第二ゴム滑り止めブロックとの間に固定されたガラスの概略部分拡大図である。
【図６】本開示の一実施形態による、第一ゴム滑り止めブロックまたは第二ゴム滑り止めブロックの概略構造図である。
【図７】本開示の一実施形態による、第三ゴム滑り止めブロックと第四ゴム滑り止めブロックとの間に固定されたガラスの概略部分拡大図である。
【図８】本開示の一実施形態による、第三ゴム滑り止めブロックまたは第四ゴム滑り止めブロックの概略構造図である。
【図９】本開示の別の実施形態による、封止金型の概略断面図である。
【図１０】本開示の別の実施形態による、上型上に設けられた第一ゴム滑り止めブロックおよび第三ゴム滑り止めブロックの概略平面図である。
【図１１】本開示の別の実施形態による、下型上に設けられた第二ゴム滑り止めブロックおよび第四ゴム滑り止めブロックの概略平面図である。
【図１２】本開示の一実施形態による、第一ゴム滑り止めブロックのゴムバンプと第二ゴム滑り止めブロックのゴムバンプとの間に固定されたガラスの概略部分拡大図である。
【図１３】本開示の一実施形態による、ゴムバンプが埋め込まれた第一ゴム滑り止めブロックまたは第二ゴム滑り止めブロックの概略構造図である。
【図１４】本開示の別の実施形態による、第三ゴム滑り止めブロックと第四ゴム滑り止めブロックとの間に固定されたガラスの概略部分拡大図である。
【図１５】本開示の別の実施形態による、第三ゴム滑り止めブロックまたは第四ゴム滑り止めブロックの概略構造図である。
【発明を実施するための形態】
【００２８】
本開示の目的、特徴、および利点を明確にするために、本開示の実施形態が、添付図面と併せて以下に詳細に記載される。本開示は、特定の実施形態を参照して記載される。本開示の精神および範囲を逸脱することなく様々な変更が成されてもよいことは、当業者によって理解されるだろう。したがって、本開示は記載される実施形態に限定されるものではない。
【００２９】
図２から図６を参照すると、本開示の実施形態において提供される封止金型１００は、上型１０、下型２０、および締め付け装置を含んでもよい。締め付け装置は、上型１０の接合面に固定されており封止されるガラス４０を締め付けるための第一表面３１１を有する第一ゴム滑り止めブロック３１、および下型２０の接合面に固定されておりガラス４０を締め付けるための第二表面３２１を有する第二ゴム滑り止めブロック３２を含んでもよい。いくつかの実施形態において、締め付け装置は、同じ数の第一ゴム滑り止めブロック３１および第二ゴム滑り止めブロック３２を有する。いくつかの実施形態において、上型１０が下型２０に対して押圧されているとき、第一ゴム滑り止めブロック３１および第二ゴム滑り止めブロック３２は、少なくとも部分的に重なってもよい。そして第一ゴム滑り止めブロック３１の第一表面３１１と第二ゴム滑り止めブロック３２の第二表面３２１との間の距離は、ガラス４０の厚さ（すなわち、ガラス４０の設計厚さ）よりも小さい。ガラス４０の上面の封止幅がガラス４０の下面の封止幅に等しい場合、第一ゴム滑り止めブロック３１および第二ゴム滑り止めブロック３２は完全に重なる。ガラス４０の上面の封止幅がガラス４０の下面の封止幅と等しくない場合、第一ゴム滑り止めブロック３１および第二ゴム滑り止めブロック３２は部分的に重なる。
【００３０】
ガラス４０は、以下のようにして封止金型１００の中に固定されてもよい。まず、ガラス４０は、ガラス４０の凹面または凸面（すなわち、ガラス４０の下面）が第二ゴム滑り止めブロック３２の第二表面３２１によって支承されるように、下型２０上に載置される。その後、ガラス４０は予備的に位置決めされる。次に上型１０は、第一ゴム滑り止めブロック３１の第一表面３１１がガラス４０の凸面または凹面（すなわち、ガラス４０の上面）と係合するように、下型２０に対して押圧される。第一ゴム滑り止めブロック３１の第一表面３１１と第二ゴム滑り止めブロック３２の第二表面３２１との間の距離はガラス４０の厚さよりも小さいので、第一ゴム滑り止めブロック３１および第二ゴム滑り止めブロック３２は変形する。第一ゴム滑り止めブロック３１はガラス４０に第一下向き力を印加し、第二ゴム滑り止めブロック３２はガラス４０に第二上向き力を印加する。第一下向き力および第二上向き力の合力作用の下で、ガラス４０は封止金型１００の中で完全に固定され、これは射出成形の間にガラス４０が動くのを防止し、これによってガラスの破損率を低下させる。
【００３１】
封止金型が圧力維持のプロセスにあるとき、ガラス４０は第一ゴム滑り止めブロック３１および第二ゴム滑り止めブロック３２で圧搾されてもよい。第一ゴム滑り止めブロック３１および第二ゴム滑り止めブロック３２はいずれも弾性なので、それらは緩衝の機能を有し、これはガラス４０の破損を防止する。
【００３２】
さらに、異なるバッチからのガラス４０が異なる曲率公差を有するときでも、第一ゴム滑り止めブロック３１および第二ゴム滑り止めブロック３２の変形のおかげで、第一ゴム滑り止めブロック３１および第二ゴム滑り止めブロック３２はまだ広い面積で接触することが可能である。このため、第一ゴム滑り止めブロック３１および第二ゴム滑り止めブロック３２によってガラス４０に印加された力はガラス４０上で比較的均一に分散し、これはガラス４０の破損を防止する。言い換えると、第一ゴム滑り止めブロック３１および第二ゴム滑り止めブロック３２はガラス４０の曲率公差を補償することができる。
【００３３】
いくつかの実施形態において、第一ゴム滑り止めブロック３１を上型１０に実装するため、および第二ゴム滑り止めブロック３２を下型２０に実装するために、ネジが使用されてもよい。具体的には、図６を参照すると、第一ゴム滑り止めブロック３１の第一表面３１１上に複数の座ぐり３６が形成され、第二ゴム滑り止めブロック３２の第二表面３２１上に複数の座ぐり３６が形成されている。座ぐり３６を通じて延在するネジは、第一ゴム滑り止めブロック３１を上型１０に固定し、第二ゴム滑り止めブロック３２を下型２０に固定する。いくつかの実施形態において、第一ゴム滑り止めブロック３１を上型１０に固定するため、および第二ゴム滑り止めブロック３２を下型２０に固定するために、容易に分解可能なその他の構成要素が使用されてもよい。このようにして、締め付け装置が所定時間にわたって使用された後に第一ゴム滑り止めブロック３１および第二ゴム滑り止めブロック３２が摩耗した場合に、これらは容易に分解されて新しいものと交換されることが可能であり、これによって封止金型１００の使用寿命を延長する。
【００３４】
封止金型１００は、少なくとも１つの第一ゴム滑り止めブロック３１および少なくとも１つの第二ゴム滑り止めブロック３２を有する。ガラス４０を封止金型１００の中で完全に固定するために、封止金型１００の中に可能な限り多くの第一ゴム滑り止めブロック３１および第二ゴム滑り止めブロック３２があってもよい。第一ゴム滑り止めブロック３１および第二ゴム滑り止めブロック３２の数は、ガラス４０のサイズに応じて設定されてもよい。いくつかの実施形態において、封止金型１００は、少なくとも３つの第一ゴム滑り止めブロック３１および少なくとも３つの第二ゴム滑り止めブロック３２を有する（一例として、図３および図４にはそれぞれ３つの第一ゴム滑り止めブロックおよび３つの第二ゴム滑り止めブロックが概略的に示されている）。少なくとも３つの第一ゴム滑り止めブロック３１は、異なる位置で上型１０に固定されて多角形パターンで配置されており、少なくとも３つの第二ゴム滑り止めブロック３２は、異なる位置で下型２０に固定されて多角形パターンで配置されている。図３を参照すると、３つの第一ゴム滑り止めブロック３１は三角形パターンで配置されている。図４を参照すると、３つの第二ゴム滑り止めブロック３２は三角形パターンで配置されている。
【００３５】
第一ゴム滑り止めブロック３１および第二ゴム滑り止めブロック３２の幅は、ガラス４０のサイズに応じて設定されてもよい。封止金型１００の中でガラス４０を完全に固定するために、第一ゴム滑り止めブロック３１および第二ゴム滑り止めブロック３２の幅は可能な限り大きく設定されてもよい。なお、大きな力によるガラス４０の破損を回避するため、第一ゴム滑り止めブロック３１および第二ゴム滑り止めブロック３２の幅が大きすぎてはならないことに注意すべきである。
【００３６】
第一ゴム滑り止めブロック３１および第二ゴム滑り止めブロック３２は、様々なゴム材料で作られてもよい。第一ゴム滑り止めブロック３１および第二ゴム滑り止めブロック３２が適用される射出成形の特徴を考慮して、第一ゴム滑り止めブロック３１および第二ゴム滑り止めブロック３２は、エチレンプロピレンジエンモノマー（ＥＰＤＭ）で作られてもよい。
【００３７】
第一ゴム滑り止めブロック３１／第二ゴム滑り止めブロック３２とガラス４０との間の適合性を向上させるために、第一ゴム滑り止めブロック３１の第一表面３１１は凹状に設定されてもよく、第二ゴム滑り止めブロック３２の第二表面３２１は凸状に設定されてもよい。あるいは、第一ゴム滑り止めブロック３１の第一表面３１１は凸状に設定されてもよく、第二ゴム滑り止めブロック３２の第二表面３２１は凹状に設定されてもよい。ゴム滑り止めブロックの凹面はガラス４０の凸面に適合し、ゴム滑り止めブロックの凸面はガラス４０の凹面に適合する。
【００３８】
ガラスの曲率公差を効果的に補償するために、第一ゴム滑り止めブロック３１の第一表面３１１と第二ゴム滑り止めブロック３２の第二表面３２１との間の距離は適切でなければならない。いくつかの実施形態において、第一ゴム滑り止めブロック３１の第一表面３１１と第二ゴム滑り止めブロック３２の第二表面３２１との間の距離はガラス４０の厚さよりも約０．１５ｍｍから約０．２５ｍｍ小さい。
【００３９】
比較的大きいサイズのガラス４０を安定的に固定するために、図２から図４および図７から図８を参照すると、締め付け装置はさらに、上型１０の接合面に固定されてガラス４０を締め付けるための第三表面３３１を有する第三ゴム滑り止めブロック３３、および下型２０の接合面に固定されてガラス４０を締め付けるための第四表面３４１を有する第四ゴム滑り止めブロック３４を含んでもよい。いくつかの実施形態において、締め付け装置は、同じ数の第三ゴム滑り止めブロック３３および第四ゴム滑り止めブロック３４を有してもよい。いくつかの実施形態において、上型１０が下型２０に対して押圧されているとき、第三ゴム滑り止めブロック３３および第四ゴム滑り止めブロック３４は、少なくとも部分的に重なってもよい。そして第三ゴム滑り止めブロック３３の第三表面３３１と第四ゴム滑り止めブロック３４の第四表面３４１との間の距離は、ガラス４０の厚さよりも小さい。いくつかの実施形態において、第三ゴム滑り止めブロック３３の第三表面３３１と第四ゴム滑り止めブロック３４の第四表面３４１との間の距離は、ガラス４０の厚さよりも約０．１５ｍｍから約０．２５ｍｍ小さい。ガラス４０の上面の封止幅がガラス４０の下面の封止幅に等しい場合、第三ゴム滑り止めブロック３３および第四ゴム滑り止めブロック３４は完全に重なる。ガラス４０の上面の封止幅がガラス４０の下面の封止幅と等しくない場合、第三ゴム滑り止めブロック３３および第四ゴム滑り止めブロック３４は部分的に重なる。
【００４０】
第三ゴム滑り止めブロック３３／第四ゴム滑り止めブロック３４とガラス４０との間の大きい接触面積によるガラス４０の破損を回避するために、第三表面３３１上で第三ゴム滑り止めブロック３３内に第三溝３ｃが形成され、第四表面３４１上で第四ゴム滑り止めブロック３４内に第四溝３ｄが形成されている。いくつかの実施形態において、第三溝３ｃおよび第四溝３ｄは、それぞれ実質的にＶ字型、方形、またはＷ字型の断面（断面は第三表面３３１および第四表面３４１に対して直角）、またはその他の形状を有してもよい。いくつかの実施形態において、第三ゴム滑り止めブロック３３および第四ゴム滑り止めブロック３４の幅は、第三ゴム滑り止めブロック３３／第四ゴム滑り止めブロック３４とガラス４０との接触面積が縮小されることが可能なように、第一ゴム滑り止めブロック３１および第二ゴム滑り止めブロック３２の幅よりもそれぞれ小さく、これによってガラス４０の破損を防止する。
【００４１】
いくつかの実施形態において、上型１０に処理溝（図示せず）が形成されてもよく、下型２０に処理溝（図示せず）が形成されてもよい。処理溝の幅は、第三ゴム滑り止めブロック３３および第四ゴム滑り止めブロック３４の幅よりも小さい。このため、上型１０の処理溝内に第三ゴム滑り止めブロック３３を載置し、下型２０の処理溝内に第四ゴム滑り止めブロック３４を載置している間、第三ゴム滑り止めブロック３３および第四ゴム滑り止めブロック３４は圧搾のため変形する。その結果、処理溝内に埋め込まれた第三ゴム滑り止めブロック３３は上型１０にしっかりと固定され、処理溝内に埋め込まれた第四ゴム滑り止めブロック３４は下型２０にしっかりと固定される。いくつかの実施形態において、第三ゴム滑り止めブロック３３および第四ゴム滑り止めブロック３４は、容易に分解できる別のやり方で、上型１０および下型２０に固定される。このようにして、締め付け装置が所定時間にわたって使用された後に第三ゴム滑り止めブロック３３および第四ゴム滑り止めブロック３４が摩耗した場合に、これらは容易に分解されて新しいものと交換されることが可能であり、これによって封止金型１００の使用寿命を延長する。
【００４２】
封止金型１００は、少なくとも１つの第三ゴム滑り止めブロック３３および少なくとも１つの第四ゴム滑り止めブロック３４を有する。ガラス４０を封止金型１００の中で完全に固定するために、封止金型１００の中に可能な限り多くの第三ゴム滑り止めブロック３３および第四ゴム滑り止めブロック３４があってもよい。いくつかの実施形態において、封止金型１００は、少なくとも３つの第三ゴム滑り止めブロック３３および少なくとも３つの第四ゴム滑り止めブロック３４を有する（一例として、図３および図４にはそれぞれ３つの第三ゴム滑り止めブロック３３および３つの第四ゴム滑り止めブロック３４が概略的に示されている）。少なくとも３つの第三ゴム滑り止めブロック３３は、異なる位置で上型１０に固定されて多角形パターンで配置されており、少なくとも３つの第四ゴム滑り止めブロック３４は、異なる位置で下型２０に固定されて多角形パターンで配置されている。図３を参照すると、３つの第三ゴム滑り止めブロック３３は四辺形パターンで配置されている。図４を参照すると、３つの第四ゴム滑り止めブロック３４は四辺形パターンで配置されている。
【００４３】
第一ゴム滑り止めブロック３１および第二ゴム滑り止めブロック３２と同様に、第三ゴム滑り止めブロック３３および第四ゴム滑り止めブロック３４は様々なゴム材料で作られてもよい。第三ゴム滑り止めブロック３３および第四ゴム滑り止めブロック３４が適用される射出成形の特徴を考慮して、第三ゴム滑り止めブロック３３および第四ゴム滑り止めブロック３４は、エチレンプロピレンジエンモノマー（ＥＰＤＭ）で作られてもよい。
【００４４】
図３および図４を参照すると、締め付け装置に第一ゴム滑り止めブロック３１、第二ゴム滑り止めブロック３２、第三ゴム滑り止めブロック３３、および第四ゴム滑り止めブロック３４のすべてが設けられているとき、第三ゴム滑り止めブロック３３は第一ゴム滑り止めブロック３１よりも上型１０の縁に近い位置にあり、第四ゴム滑り止めブロック３４は第二ゴム滑り止めブロック３２よりも下型２０の縁に近い位置にある。このようにして、第一ゴム滑り止めブロック３１および第二ゴム滑り止めブロック３２はガラス４０の中心領域を固定してもよく、第三ゴム滑り止めブロック３３および第四ゴム滑り止めブロック３４はガラス４０の周辺領域を固定してもよい。
【００４５】
締め付け装置に第一ゴム滑り止めブロック３１、第二ゴム滑り止めブロック３２、第三ゴム滑り止めブロック３３、および第四ゴム滑り止めブロック３４のすべてが設けられているとき、ガラスは以下のようにしてこの締め付け装置を有する封止金型１００の中に固定されてもよい。まず、ガラス４０は、ガラス４０の凹面または凸面（すなわち、ガラス４０の下面）が第二ゴム滑り止めブロック３２の第二表面３２１および第四ゴム滑り止めブロック３４の第四表面３４１によって支承されるように、下型２０上に載置される。その後、ガラス４０は予備的に位置決めされる。次に上型１０は、第一ゴム滑り止めブロック３１の第一表面３１１および第三ゴム滑り止めブロック３３の第三表面３３１がガラス４０の凸面または凹面（すなわち、ガラス４０の上面）と係合するように、下型２０に対して押圧される。第一ゴム滑り止めブロック３１の第一表面３１１と第二ゴム滑り止めブロック３２の第二表面３２１との間の距離はガラス４０の厚さよりも小さく、第三ゴム滑り止めブロック３３の第三表面３３１と第四ゴム滑り止めブロック３４の第四表面３４１との間の距離はガラス４０の厚さよりも小さいので、第一ゴム滑り止めブロック３１は変形してガラス４０に第一下向き力を印加し、第二ゴム滑り止めブロック３２は変形してガラス４０に第二上向き力を印加し、第三ゴム滑り止めブロック３３は変形してガラス４０に第三下向き力を印加し、第四ゴム滑り止めブロック３４は変形してガラス４０に第四上向き力を印加する。第一下向き力、第二上向き力、第三下向き力、および第四上向き力の合力作用の下で、ガラス４０は封止金型１００の中で完全に固定され、これは射出成形の間にガラス４０が動くのを防止し、これによってガラスの破損率を低下させる。
【００４６】
ガラスのサイズが大きいとき、製造中にガラスの曲率公差を制御するのは困難であることが知られている。上述のように、ガラス４０を封止金型１００の中で完全に固定するために、第一ゴム滑り止めブロック３１および第二ゴム滑り止めブロック３２は比較的大きいサイズを有するように設定されてもよい。言い換えると、第一ゴム滑り止めブロック３１／第二ゴム滑り止めブロック３２とガラス４０との間の接触面積は大きい。しかしながら、ガラス４０の曲率公差に大きなばらつきがある場合、ガラス４０は破砕されやすくなる。
【００４７】
図９から図１３を参照すると、本開示の別の実施形態による封止金型１００’が提供されており、これは上型１０’、下型２０’、および締め付け装置を含んでもよい。締め付け装置は、上型１０’の接合面に固定されており第一表面３１１’を有する第一ゴム滑り止めブロック３１’、および下型２０’の接合面に固定されており第二表面３２１’を有する第二ゴム滑り止めブロック３２’を含んでもよい。いくつかの実施形態において、第一ゴム滑り止めブロック３１’の第一表面３１１’上にはゴムバンプ３５１が設けられており、これは第一表面３１１’よりも高く延在し、第二ゴム滑り止めブロック３２’の第二表面３２１’上にはゴムバンプ３５２が設けられており、これは第二表面３２１’よりも高く延在する。いくつかの実施形態において、締め付け装置は同じ数の第一ゴム滑り止めブロック３１’および第二ゴム滑り止めブロック３２’を有してもよい。
【００４８】
いくつかの実施形態において、ゴムバンプ３５１は第一ゴム滑り止めブロック３１’と一体であってもよく、ゴムバンプ３５２は第二ゴム滑り止めブロック３２’と一体であってもよい。いくつかの実施形態において、第一ゴム滑り止めブロック３１’は、第一ゴム滑り止めブロック３１’の幅よりも小さい幅を有する第一表面３１１’上に形成された第一溝３ａを有する。ゴムバンプ３５１は第一溝３ａに埋め込まれており、これは第一表面３１１’よりも高く延在する。第二ゴム滑り止めブロック３２’は第二表面３２１’上に形成された第二溝３ｂを有し、これは第二ゴム滑り止めブロック３２’の幅よりも小さい幅を有する。ゴムバンプ３５２は第二溝３ｂに埋め込まれており、これは第二表面３２１’よりも高く延在する。
【００４９】
いくつかの実施形態において、第一ゴム滑り止めブロック３１’に処理溝（図示せず）が形成されてもよく、第二ゴム滑り止めブロック３２’に処理溝（図示せず）が形成されてもよい。処理溝の幅は、ゴムバンプ３５１およびゴムバンプ３５２の幅よりも小さい。このため、第一ゴム滑り止めブロック３１’の処理溝内にゴムバンプ３５１を載置し、第二ゴム滑り止めブロック３２’の処理溝内にゴムバンプ３５２を載置している間、ゴムバンプ３５１および３５２は圧搾のため変形する。その結果、処理溝内に埋め込まれたゴムバンプ３５１は第一ゴム滑り止めブロック３１’にしっかりと固定され、処理溝内に埋め込まれたゴムバンプ３５２は第二ゴム滑り止めブロック３２’にしっかりと固定される。
【００５０】
上型１０’が下型２０’に対して押圧されているとき、第一ゴム滑り止めブロック３１’および第二ゴム滑り止めブロック３２’は完全に重なり、ゴムバンプ３５１およびゴムバンプ３５２は少なくとも部分的に重なる。第一ゴム滑り止めブロック３１’のゴムバンプ３５１と第二ゴム滑り止めブロック３２’のゴムバンプ３５２との間の距離は、ガラス４０の厚さよりも小さい。そして第一ゴム滑り止めブロック３１’の第一表面３１１’と第二ゴム滑り止めブロック３２’の第二表面３２１’との間の距離は、ガラス４０の厚さに等しい。ガラス４０の大部分が第一ゴム滑り止めブロック３１’のゴムバンプ３５１と第二ゴム滑り止めブロック３２’のゴムバンプ３５２との間で締め付けられている間、ガラス４０は曲率公差を有するので、ガラスの一部は第一ゴム滑り止めブロック３１’と第二ゴム滑り止めブロック３２’との間でも締め付けられる可能性がある。しかしながら、第一ゴム滑り止めブロック３１’および第二ゴム滑り止めブロック３２’によってガラス４０に印加される力は、上記実施形態において記載されたような第一ゴム滑り止めブロック３１および第二ゴム滑り止めブロック３２によって印加される力よりも小さい。
【００５１】
ガラス４０の上面の封止幅がガラス４０の下面の封止幅に等しい場合、ゴムバンプ３５１およびゴムバンプ３５２は完全に重なる。ガラス４０の上面の封止幅がガラス４０の下面の封止幅に等しくない場合、ゴムバンプ３５１およびゴムバンプ３５２は部分的に重なる。
【００５２】
ガラス４０は、以下のようにして封止金型１００’の中に固定されてもよい。まず、ガラス４０は、ガラス４０の凹面または凸面（すなわち、ガラス４０の下面）が第二ゴム滑り止めブロック３２’のゴムバンプ３５２によって支承されるように、下型２０’上に載置される。その後、ガラス４０は予備的に位置決めされる。次に上型１０’は、第一ゴム滑り止めブロック３１’のゴムバンプ３５１がガラス４０の凸面または凹面（すなわち、ガラス４０の上面）と係合するように、下型２０’に対して押圧される。第一ゴム滑り止めブロック３１’のゴムバンプ３５１と第二ゴム滑り止めブロック３２’のゴムバンプ３５２との間の距離はガラス４０の厚さよりも小さいので、第一ゴム滑り止めブロック３１’のゴムバンプ３５１および第二ゴム滑り止めブロック３２’のゴムバンプ３５２は変形する。その一方で、第一ゴム滑り止めブロック３１’はゴムバンプ３５１の作用の下で変形し、第二ゴム滑り止めブロック３２’はゴムバンプ３５２の作用の下で変形する。ゴムバンプ３５１はガラス４０に第一下向き力を印加し、ゴムバンプ３５２はガラス４０に第二上向き力を印加する。第一下向き力および第二上向き力の合力作用の下で、ガラス４０は封止金型１００’の中で完全に固定され、これは射出成形の間にガラス４０が動くのを防止し、これによってガラスの破損率を低下させる。
【００５３】
第一ゴム滑り止めブロック３１’のゴムバンプ３５１および第二ゴム滑り止めブロック３２’のゴムバンプ３５２の幅はそれぞれ第一ゴム滑り止めブロック３１’および第二ゴム滑り止めブロック３２’の幅よりも小さい。したがって、ゴムバンプ３５１およびゴムバンプ３５２は、ガラス４０との接触面積が小さい。このため、ゴムバンプ３５１およびゴムバンプ３５２によってガラス４０に印加される力は比較的小さい。さらに、第一ゴム滑り止めブロック３１’はゴムバンプ３５１の作用の下で変形し、第二ゴム滑り止めブロック３２’はゴムバンプ３５２の作用の下で変形するので、これはゴムバンプ３５１およびゴムバンプ３５２の変形性能を強化するのに相当する。したがって、ガラス４０が大きいサイズおよび曲率公差を有するとしても、破損率は低減されることが可能である。
【００５４】
第一ゴム滑り止めブロック３１’のゴムバンプ３５１および第二ゴム滑り止めブロック３２’のゴムバンプ３５２によってガラス４０に印加される力が不十分であり、その結果ガラス４０が封止金型１００’の中で完全に固定されない可能性があることを考慮して、第一ゴム滑り止めブロック３１’のゴムバンプ３５１と第二ゴム滑り止めブロック３２’のゴムバンプ３５２との間の距離を短縮するように、第一ゴム滑り止めブロック３１’のゴムバンプ３５１は第一ゴム滑り止めブロック３１’の第一表面３１１’よりも可能な限り高く延在してもよく、第二ゴム滑り止めブロック３２’のゴムバンプ３５２は第二ゴム滑り止めブロック３２’の第二表面３２１’よりも可能な限り高く延在してもよい。いくつかの実施形態において、第一ゴム滑り止めブロック３１’のゴムバンプ３５１は第一表面３１１’よりも約０．４５ｍｍから約０．５５ｍｍ高く、第二ゴム滑り止めブロック３２’のゴムバンプ３５２は第二表面３２１’よりも約０．４５ｍｍから約０．５５ｍｍ高い。
【００５５】
第一ゴム滑り止めブロック３１’および第二ゴム滑り止めブロック３２’は、様々なゴム材料で作られてもよい。第一ゴム滑り止めブロック３１’および第二ゴム滑り止めブロック３２’が適用される射出成形の特徴を考慮して、第一ゴム滑り止めブロック３１’および第二ゴム滑り止めブロック３２’はエチレンプロピレンジエンモノマー（ＥＰＤＭ）で作られてもよい。第一ゴム滑り止めブロック３１’および第二ゴム滑り止めブロック３２’と同様に、ゴムバンプ３５１およびゴムバンプ３５２は様々なゴム材料で作られてもよい。ゴムバンプ３５１およびゴムバンプ３５２が適用される射出成形の特徴を考慮して、ゴムバンプ３５１およびゴムバンプ３５２はエチレンプロピレンジエンモノマー（ＥＰＤＭ）で作られてもよい。
【００５６】
いくつかの実施形態において、図９から図１２および図１４から図１５を参照すると、締め付け装置はさらに、第一ゴム滑り止めブロック３１’および第二ゴム滑り止めブロック３２’に加えて第三ゴム滑り止めブロック３３’および第四ゴム滑り止めブロック３４’を含んでもよい。第三ゴム滑り止めブロック３３’は上型１０’の接合面に固定されており、ガラス４０を締め付けるための第三表面３３１’を有する。第四ゴム滑り止めブロック３４’は下型２０’の接合面に固定されており、ガラス４０を締め付けるための第四表面３４１’を有する。いくつかの実施形態において、締め付け装置は、同じ数の第三ゴム滑り止めブロック３３’および第四ゴム滑り止めブロック３４’を有する。いくつかの実施形態において、上型１０’が下型２０’に対して押圧されているとき、第三ゴム滑り止めブロック３３’および第四ゴム滑り止めブロック３４’は、少なくとも部分的に重なってもよい。そして第三ゴム滑り止めブロック３３’の第三表面３３１’と第四ゴム滑り止めブロック３４’の第四表面３４１’との間の距離は、ガラス４０の厚さよりも小さい。いくつかの実施形態において、第三ゴム滑り止めブロック３３’の第三表面３３１’と第四ゴム滑り止めブロック３４’の第四表面３４１’との間の距離は、ガラス４０の厚さよりも約０．１５ｍｍから約０．２５ｍｍ小さい。
【００５７】
ガラス４０の上面の封止幅がガラス４０の下面の封止幅と等しい場合、第三ゴム滑り止めブロック３３’および第四ゴム滑り止めブロック３４’は完全に重なる。ガラス４０の上面の封止幅がガラス４０の下面の封止幅と等しくない場合、第三ゴム滑り止めブロック３３’および第四ゴム滑り止めブロック３４’は部分的に重なる。
【００５８】
第三ゴム滑り止めブロック３３’／第四ゴム滑り止めブロック３４’とガラス４０との間の大きい接触面積によるガラス４０の破損を回避するために、第三ゴム滑り止めブロック３３’には第三表面３３１’上に第三溝３ｃ’が設けられてもよく、第四ゴム滑り止めブロック３４’には第四表面３４１’上に第四溝３ｄ’が設けられてもよい。さらなる詳細については上記実施形態が参照されてもよく、本明細書において詳細には記載されない。
【００５９】
封止金型１００’は、少なくとも１つの第三ゴム滑り止めブロック３３’および少なくとも１つの第四ゴム滑り止めブロック３４’を有する。ガラス４０を封止金型１００’の中で完全に固定するために、封止金型１００’の中に可能な限り多くの第三ゴム滑り止めブロック３３’および第四ゴム滑り止めブロック３４’があってもよい。いくつかの実施形態において、封止金型１００’は、少なくとも３つの第三ゴム滑り止めブロック３３’および少なくとも３つの第四ゴム滑り止めブロック３４’を有する（一例として、図１０および図１１にはそれぞれ３つの第三滑り止めブロックおよび３つの第四ゴム滑り止めブロックが概略的に示されている）。少なくとも３つの第三ゴム滑り止めブロック３３’は、異なる位置で上型１０’に固定されて多角形パターンで配置されており、少なくとも３つの第四ゴム滑り止めブロック３４’は、異なる位置で下型２０’に固定されて多角形パターンで配置されている。図１０を参照すると、３つの第三ゴム滑り止めブロック３３’は四辺形パターンで配置されている。図１１を参照すると、３つの第四ゴム滑り止めブロック３４’は四辺形パターンで配置されている。
【００６０】
締め付け装置に第一ゴム滑り止めブロック３１’、第二ゴム滑り止めブロック３２’、第三ゴム滑り止めブロック３３’、および第四ゴム滑り止めブロック３４’が設けられている場合、ガラス４０は、以下のやり方でこの締め付け装置を有する封止金型１００’の中に固定されてもよい。まず、ガラス４０は、ガラス４０の凹面または凸面（すなわち、ガラス４０の下面）が第二ゴム滑り止めブロック３２’の第二ゴムバンプ３５２および第四ゴム滑り止めブロック３４’の第四表面３４１’によって支承されるように、下型２０’上に載置される。その後、ガラス４０は予備的に位置決めされる。次に上型１０’は、第一ゴム滑り止めブロック３１’のゴムバンプ３５１および第三ゴム滑り止めブロック３３’の第三表面３３１’がガラス４０の凸面または凹面（すなわち、ガラス４０の上面）と係合するように、下型２０’に対して押圧される。第一ゴム滑り止めブロック３１’のゴムバンプ３５１と第二ゴム滑り止めブロック３２’のゴムバンプ３５２との間の距離はガラス４０の厚さよりも小さく、第三ゴム滑り止めブロック３３’の第三表面３３１’と第四ゴム滑り止めブロック３４’の第四表面３４１’との間の距離はガラス４０の厚さよりも小さいので、第一ゴム滑り止めブロック３１’のゴムバンプ３５１は変形してガラス４０に第一下向き力を印加し、第二ゴム滑り止めブロック３２’のゴムバンプ３５２は変形してガラス４０に第二上向き力を印加し、第三ゴム滑り止めブロック３３’は変形してガラス４０に第三下向き力を印加し、第四ゴム滑り止めブロック３４’は変形してガラス４０に第四上向き力を印加する。第一下向き力、第二上向き力、第三下向き力、および第四上向き力の合力作用の下で、ガラス４０は封止金型１００’の中で完全に固定され、これは射出成形の間にガラス４０が動くのを防止し、これによってガラスの破損率を低下させる。大きい曲率公差を有するガラス４０が封止された場合、ガラス４０はまた第一ゴム滑り止めブロック３１’の第一表面３１１’と第二ゴム滑り止めブロック３２’の第二表面３２１’との間でも締め付けられてよい。この場合、第一ゴム滑り止めブロック３１’および第二ゴム滑り止めブロック３２’もまた、ガラス４０に力を印加する。
【００６１】
結論として、ガラスのサイズが大きいとき、締め付け装置は、上型の接合面に固定された第一ゴム滑り止めブロックおよび第三ゴム滑り止めブロック、ならびに下型の接合面に固定された第二ゴム滑り止めブロックおよび第四ゴム滑り止めブロックを含み、第三ゴム滑り止めブロックおよび第四ゴム滑り止めブロックには溝が形成され、第三ゴム滑り止めブロックは第一ゴム滑り止めブロックよりも上型の縁に近い位置にあり、第四ゴム滑り止めブロックは第二ゴム滑り止めブロックよりも下型の縁に近い位置にある。このようにして、第一ゴム滑り止めブロックおよび第二ゴム滑り止めブロックはガラスの中心領域を固定してもよく、第三ゴム滑り止めブロックおよび第四ゴム滑り止めブロックはガラスの周辺領域を固定してもよい。
【００６２】
ガラスのサイズが大きい場合、第一ゴム滑り止めブロックおよび第二ゴム滑り止めブロック上にゴムバンプが設けられてもよく、ゴムバンプはそれぞれ第一ゴム滑り止めブロックおよび第二ゴム滑り止めブロックの表面よりも高く延在する。このようにして、ガラスは第一ゴム滑り止めブロックのゴムバンプと第二ゴム滑り止めブロックのゴムバンプとの間で締め付けられることが可能である。ゴムバンプのガラスとの接触面積は小さいので、ゴムバンプによってガラスに印加される力は比較的小さく、これはガラスの破損率を低下させる。その結果、大きいサイズのガラスが大きい曲率公差を有していたとしても、ガラスは容易に破砕されなくなる。
【００６３】
本開示はその好適な実施形態を参照して上記で開示されてきたが、本開示が限定ではなく例示としてのみ提示されることは、理解されるべきである。当業者は、本開示の精神および範囲から逸脱することなく、実施形態を修正または変更することができる。
【図１】
2015536842.tif 000003
【図２】
2015536842.tif 000004
【図３】
2015536842.tif 000005
【図４】
2015536842.tif 000006
【図５】
2015536842.tif 000007
【図６】
2015536842.tif 000008
【図７】
2015536842.tif 000009
【図８】
2015536842.tif 000010
【図９】
2015536842.tif 000011
【図１０】
2015536842.tif 000012
【図１１】
2015536842.tif 000013
【図１２】
2015536842.tif 000014
【図１３】
2015536842.tif 000015
【図１４】
2015536842.tif 000016
【図１５】
2015536842.tif 000017
【国際調査報告】
2015536842.tif 000018
2015536842.tif 000019
2015536842.tif 000020
2015536842.tif 000021